(57)【特許請求の範囲】
【請求項１】
同期信号を含む映像信号から前記同期信号を分離する同期分離部を備え、前記映像信号の種類を判定する映像信号判定装置において、
前記同期分離部にて分離された同期信号に含まれる水平同期周波数、垂直同期周波数、スキャンタイプ、映像ライン数、同期タイプおよび垂直同期信号幅を検出する検出部と、
前記検出部にて検出された水平同期周波数、垂直同期周波数、スキャンタイプ、映像ライン数、同期タイプおよび垂直同期信号幅に基づいて、前記映像信号がＲＧＢ信号であるか輝度色差信号であるかを判定する判定部と、を有することを特徴とする映像信号判定装置。
【請求項２】
請求項１に記載の映像信号判定装置において、
前記検出部は、さらに、前記同期信号に含まれる同期極性を検出する、映像信号判定装置。
【請求項３】
請求項２に記載の映像信号判定装置において、
前記映像信号は、ＲＧＢ信号またはＹＣｂＣｒ信号であり、
前記検出部は、前記同期極性としてNegaおよびPosiを検出し、前記同期タイプとしてSep、CS、GSyncおよびTriSyncを検出し、前記スキャンタイプとしてインタレースおよびノンインタレースを検出する、映像信号判定装置。
【請求項４】
同期信号を含む映像信号を処理する処理部と、前記処理部にて処理された映像信号に基づいて映像を表示する表示部と、前記映像信号から前記同期信号を分離する同期分離部と、前記同期分離部にて分離された同期信号に基づいて該映像信号の種類を判定し、その判定結果に応じて前記処理部を制御する制御部と、を含む映像表示装置において、
前記制御部は、
前記同期分離部にて分離された同期信号に含まれる水平同期周波数、垂直同期周波数、スキャンタイプ、映像ライン数、同期タイプおよび垂直同期信号幅を検出する検出部と、
前記検出部にて検出された水平同期周波数、垂直同期周波数、スキャンタイプ、映像ライン数、同期タイプおよび垂直同期信号幅に基づいて、前記映像信号がＲＧＢ信号であるか輝度色差信号であるかを判定し、その判定結果に応じて前記処理部を制御する映像制御部と、を含むことを特徴とする映像表示装置。
【請求項５】
請求項４に記載の映像表示装置において、
前記検出部は、さらに、前記同期信号に含まれる同期極性を検出する、映像表示装置。
【請求項６】
請求項５に記載の映像表示装置において、
前記映像信号は、ＲＧＢ信号またはＹＣｂＣｒ信号であり、
前記検出部は、前記同期極性としてNegaおよびPosiを検出し、前記同期タイプとしてSep、CS、GSyncおよびTriSyncを検出し、前記スキャンタイプとしてインタレースおよびノンインタレースを検出する、映像表示装置。
【請求項７】
請求項４ないし６のいずれか１項に記載の映像表示装置において、
前記映像制御部は、前記判定結果に応じて、前記映像信号のアスペクトおよび種類を決定し、
前記処理部は、前記映像制御部にて決定された前記映像信号のアスペクトおよび種類に応じて前記映像信号を処理する、映像表示装置。
【請求項８】
同期信号を含む映像信号から前記同期信号を分離し、前記同期信号に基づいて前記映像信号の種類を判定する映像信号判定装置が行う映像信号判定方法であって、
前記映像信号から前記同期信号を分離する同期分離ステップと、
前記同期信号に含まれる水平同期周波数、垂直同期周波数、スキャンタイプ、映像ライン数、同期タイプおよび垂直同期信号幅を検出する検出ステップと、
前記検出された水平同期周波数、垂直同期周波数、スキャンタイプ、映像ライン数、同期タイプおよび垂直同期信号幅に基づいて、前記映像信号がＲＧＢ信号であるか輝度色差信号であるかを判定する判定ステップと、を含む映像信号判定方法。
【請求項９】
請求項８に記載の映像信号判定方法において、
前記検出ステップでは、さらに、前記同期信号に含まれる同期極性を検出する、映像信号判定方法。
【請求項１０】
請求項９に記載の映像信号判定方法において、
前記映像信号は、ＲＧＢ信号またはＹＣｂＣｒ信号であり、
前記検出ステップでは、前記同期極性としてNegaまたはPosiを検出し、前記同期タイプとしてSep、CS、GSyncまたはTriSyncを検出し、前記スキャンタイプとしてインタレースまたはノンインタレースを検出する、映像信号判定方法。
【請求項１１】
同期信号を含む映像信号を処理する処理ステップと、前記処理された映像信号に基づいて映像を表示する表示ステップと、前記映像信号から前記同期信号を分離する同期分離ステップと、前記分離された同期信号に基づいて該映像信号の種類を判定し、その判定結果に応じて前記処理部を制御する制御ステップと、を含む映像表示方法において、
前記制御ステップは、
前記同期信号に含まれる水平同期周波数、垂直同期周波数、スキャンタイプ、映像ライン数、同期タイプおよび垂直同期信号幅を検出する検出する検出ステップと、
前記検出された水平同期周波数、垂直同期周波数、スキャンタイプ、映像ライン数、同期タイプおよび垂直同期信号幅に基づいて、前記映像信号がＲＧＢ信号であるか輝度色差信号であるかを判定する判定ステップと、
前記判定の結果に応じて前記処理を制御する映像制御ステップと、を含むことを特徴とする映像表示方法。
【請求項１２】
請求項１１に記載の映像表示方法において、
前記検出ステップでは、さらに、前記同期信号に含まれる同期極性を検出する、映像表示方法。
【請求項１３】
請求項１２に記載の映像表示方法において、
前記映像信号は、ＲＧＢ信号またはＹＣｂＣｒ信号であり、
前記検出ステップでは、前記同期極性としてNegaまたはPosiを検出し、前記同期タイプとしてSep、CS、GSyncまたはTriSyncを検出し、前記スキャンタイプとしてインタレースまたはノンインタレースを検出する、映像表示方法。
【請求項１４】
請求項１１ないし１３のいずれか１項に記載の映像表示方法において、
前記映像制御ステップでは、前記判定結果に応じて、前記映像信号のアスペクトおよび種類を決定し、
前記処理ステップでは、前記決定された前記映像信号のアスペクトおよび種類に応じて前記映像信号を処理する、映像表示方法。
【発明の詳細な説明】
【技術分野】
【０００１】
本発明は、映像信号判定装置、映像表示装置、映像信号判定方法および映像表示方法に関し、特には、同期信号を含む映像信号の種類を判定する映像信号判定装置、映像表示装置、映像信号判定方法および映像表示方法に関する。
【背景技術】
【０００２】
従来、同期信号を含む映像信号の種類を判定する映像信号判定装置が知られている。
【０００３】
映像信号判定装置は、複数種類の映像信号（例えば、ＲＧＢ信号とＹＣｂＣｒ信号）を受け付けることが可能な映像表示装置（例えば、プロジェクタ）に搭載される。
【０００４】
なお、ＲＧＢ信号は、Ｒ（赤）、Ｇ（緑）、Ｂ（青）の３原色の色信号と、複数の同期信号とを有し、また、ＹＣｂＣｒ信号（以下「コンポーネント信号」とも称する。）は、Ｙ（輝度）信号と、Ｃｒ（Ｒ−Ｙ）の色差信号と、Ｃｂ（Ｂ−Ｙ）の色差信号と、複数の同期信号とを有する。
【０００５】
映像表示装置は、入力された映像信号の種類を映像信号判定装置で判定し、その判定結果に応じて画像処理を切り替えて映像を表示する。
【０００６】
図５は、従来の映像表示装置を示したブロック図である。
【０００７】
図５において、映像表示装置は、入力端子１と、ＲＧＢ／ＹＣｂＣｒ映像同期処理回路（以下「同期処理回路」と称する。）２と、検出回路３と、ＣＰＵ４００と、スケラー回路５と、固定画素パネル駆動回路（以下「駆動回路」と称する。）６と、固定画素パネル（以下「パネル」と称する。）７とを含む。
【０００８】
入力端子１は、ＲＧＢ信号とコンポーネント信号とを受け付ける。例えば、入力端子１は、ＰＣからＲＧＢ信号を受け付け、また、ＤＶＤプレーヤからコンポーネント信号を受け付ける。
【０００９】
ここで、入力端子１が受け付ける映像信号（ＲＧＢ信号とコンポーネント信号）を説明する。
【００１０】
図６（ａ）は、映像ラインが４８０列のコンポーネント信号を示し、図６（ｂ）は、映像ラインが４８０列のＲＧＢ信号を示した説明図である。
【００１１】
図７（ａ）は、映像ラインが７２０列のコンポーネント信号を示し、図７（ｂ）は、映像ラインが７２０列のＲＧＢ信号を示した説明図である。
【００１２】
図８（ａ）は、映像ラインが１０８０列のコンポーネント信号を示し、図８（ｂ）は、映像ラインが１０８０列のＲＧＢ信号を示した説明図である。
【００１３】
図１に戻って、同期処理回路２は、入力端子１にて受け付けられた映像信号（以下「入力映像信号」と称する。）から同期信号を分離する。同期処理回路２は、同期信号を検出回路３に提供し、また、同期信号が取り除かれた入力映像信号をスケラー回路５に提供する。
【００１４】
検出回路３は、水平・垂直周波数検出回路３１と、同期極性検出回路３２と、同期タイプ検出回路３３と、スキャンタイプ検出回路３４と、映像ライン数検出回路３５とを含む。
【００１５】
水平・垂直周波数検出回路３１は、同期信号から、水平同期周波数（図６ないし８のLine Freq）と、垂直同期周波数（図６ないし８のFrame Rate）と、を検出し、その検出された水平同期周波数および垂直同期周波数をＣＰＵ４００に提供する。
【００１６】
同期極性検出回路３２は、同期信号から、同期極性（NegaまたはPosi）を検出し、その検出された同期極性をＣＰＵ４００に提供する。
【００１７】
同期タイプ検出回路３３は、同期信号から、同期タイプ（Sep（水平、垂直周波数）、CS（コンポジットシンク：複合同期）、または、GSync（緑信号同期））を検出し、その検出された同期タイプをＣＰＵ４００に提供する。
【００１８】
スキャンタイプ検出回路３４は、同期信号から、スキャンタイプ（Interlace：インタレース、または、Non-Interlace：ノンインタレース）を検出し、その検出されたスキャンタイプをＣＰＵ４００に提供する。
【００１９】
映像ライン数検出回路３５は、同期信号から、映像ライン数を検出し、その検出された映像ライン数をＣＰＵ４００に提供する。
【００２０】
ＣＰＵ４００は、入力映像信号の種類を、検出回路３から提供された情報に基づいて判定する。具体的には、ＣＰＵ４００は、水平同期周波数、垂直同期周波数、同期極性、同期タイプ、スキャンタイプ、および、映像ライン数に基づいて、入力映像信号の種類を判定する。
【００２１】
また、ＣＰＵ４００は、その判定結果に基づいて、入力映像信号に対する信号処理を設定する。
【００２２】
例えば、ＣＰＵ４００は、その判定結果に基づいて、同期処理回路２のＡ／Ｄコンバータ（不図示）に分周比と位相を設定して、入力映像信号の種類に適した同期処理動作を同期処理回路２に実行させる。
【００２３】
また、ＣＰＵ４００は、その判定結果に基づいて、スケラー回路５に、解像度変換データ、アスペクト比およびカラーシステム（入力映像信号がＲＧＢ信号かＹＣｂＣｒ信号か）を設定する。なお、アスペクト比は、判定結果に含まれる。
【００２４】
例えば、ＣＰＵ４００は、入力映像信号がＲＧＢ信号であると判定すると、スケラー回路５に、解像度変換としてパネルに対して１００％スキャン設定し、さらに、入力映像信号がＲＧＢ信号である旨のカラーシステム設定を行う。
【００２５】
また、ＣＰＵ４００は、入力映像信号がＹＣｂＣｒ信号であると判定すると、スケラー回路５に、解像度変換としてパネルに対して１０５％オーバスキャン設定し、さらに、入力映像信号であるＹＣｂＣｒ信号をＲＧＢ信号に変換する旨のカラーシステム設定を行う。
【００２６】
スケラー回路５は、ＣＰＵ４００にてなされた設定に基づいて入力映像信号を処理して、映像を示す映像表示信号を生成し、その映像表示信号を駆動回路６に提供する。
【００２７】
例えば、スケラー回路５は、解像度変換が設定されると、入力映像信号に対して、その設定された解像度変換を行う。
【００２８】
また、スケラー回路５は、アスペクト比が設定されると、入力映像信号に応じた映像のアスペクトを、その設定されたアスペクト比にする。
【００２９】
また、スケラー回路５は、入力映像信号がＲＧＢ信号である旨のカラーシステム設定がなされると、ＲＧＢ信号を他の映像信号形式に変換しない。
【００３０】
また、スケラー回路５は、入力映像信号であるＹＣｂＣｒ信号をＲＧＢ信号に変換する旨のカラーシステム設定がなされると、ＹＣｂＣｒ信号をＲＧＢ信号に変換する。
【００３１】
駆動回路６は、その提供された映像表示信号に基づいてパネル７を駆動して、パネル７に映像を形成する。
【００３２】
パネル７に形成された映像は、例えば、投射用光源（不図示）にてスクリーン８に投影される。
【００３３】
ここで、ＣＰＵ４００の入力映像信号の判定処理を説明する。
【００３４】
まず、ＣＰＵ４００は、入力映像信号の同期タイプがSepまたはCSである場合、入力映像信号はＲＧＢ信号であると判断し、その後、同期極性、垂直同期信号、水平同期信号、映像ライン数およびスキャンタイプに基づいて、入力映像信号の種類を判定する。
【００３５】
ＣＰＵ４００は、同期タイプがGSyncの場合、まず、映像ライン数が、４８０であるか、７２０であるか、または、１０８０であるか判定する。
【００３６】
図９は、映像ライン数が４８０の場合に実行される入力映像信号の種類を判定する動作を説明するためのフローチャートである。以下、図９を参照して映像ライン数が４８０のときの判定動作を説明する。
【００３７】
ＣＰＵ４００は、映像ライン数が４８０であると、ステップ１０１１を実行する。
【００３８】
ステップ１０１１では、ＣＰＵ４００は、垂直同期周波数が６０Ｈｚであるか否かを判断し、垂直同期周波数が６０Ｈｚであるとステップ１０１２を実行し、垂直同期周波数が６０Ｈｚでないとステップ１０１３を実行する。
【００３９】
ステップ１０１２では、ＣＰＵ４００は、水平同期周波数が３１ＫＨｚであるか否かを判断し、水平同期周波数が３１ＫＨｚであるとステップ１０１４を実行し、水平同期周波数が３１ＫＨｚでないとステップ１０１３を実行する。
【００４０】
ステップ１０１３では、ＣＰＵ４００は、入力映像信号が、同期タイプがGSyncのＲＧＢ信号であると判断し、アスペクトは４：３であると判断する。
【００４１】
ステップ１０１４では、ＣＰＵ４００は、入力映像信号が、垂直同期周波数が６０ＨｚのＹＣｂＣｒ信号であると判断し、アスペクトは１６：９であると判断する。
【００４２】
図１０は、映像ライン数が４８０のときの判定結果を示した説明図である。
【００４３】
図１０に示すように、コンポーネント信号（ＹＣｂＣｒ信号）の７２０x４８０（６０Ｈｚ）は、正しく判定されるが、同期タイプがGSyncであるＲＧＢ信号では、６４０x４８０（６０．０４８Ｈｚ）および６４０x４８０（５９．７８Ｈｚ）と異なる信号は、アスペクトおよびカラーシステム（ＲＧＢ信号かＹＣｂＣｒ信号か）が正しく判定されない。
【００４４】
図１１は、映像ライン数が７２０の場合に実行される入力映像信号の種類を判定する動作を説明するためのフローチャートである。以下、図１１を参照して映像ライン数が７２０のときの判定動作を説明する。
【００４５】
ＣＰＵ４００は、映像ライン数が７２０であると、ステップ１０２１を実行する。
【００４６】
ステップ１０２１では、ＣＰＵ４００は、垂直同期周波数が５０Ｈｚであるか否かを判断し、垂直同期周波数が５０Ｈｚであるとステップ１０２２を実行し、垂直同期周波数が５０Ｈｚでないとステップ１０２３を実行する。
【００４７】
ステップ１０２２では、ＣＰＵ４００は、水平同期周波数が３７．５ＫＨｚであるか否かを判断し、水平同期周波数が３７．５ＫＨｚであるとステップ１０２４を実行し、水平同期周波数が３７．５ＫＨｚでないとステップ１０２５を実行する。
【００４８】
ステップ１０２４では、ＣＰＵ４００は、入力映像信号が、垂直同期周波数が５０ＨｚのＹＣｂＣｒ信号であると判断し、アスペクトは１６：９であると判断する。
【００４９】
ステップ１０２５では、ＣＰＵ４００は、入力映像信号が、同期タイプがGSyncのＲＧＢ信号であると判断し、アスペクトは４：３であると判断する。
【００５０】
ステップ１０２３では、ＣＰＵ４００は、垂直同期周波数が６０Ｈｚであるか否かを判断し、垂直同期周波数が６０Ｈｚであるとステップ１０２６を実行し、垂直同期周波数が６０Ｈｚでないとステップ１０２５を実行する。
【００５１】
ステップ１０２６では、ＣＰＵ４００は、水平同期周波数が４４．９６ＫＨｚであるか否かを判断し、水平同期周波数が４４．９６ＫＨｚであるとステップ１０２７を実行し、水平同期周波数が４４．９６ＫＨｚでないとステップ１０２５を実行する。
【００５２】
ステップ１０２７では、ＣＰＵ４００は、入力映像信号が、垂直同期周波数が６０ＨｚのＹＣｂＣｒ信号であると判断し、アスペクトは１６：９であると判断する。
【００５３】
図１２は、映像ライン数が７２０のときの判定結果を示した説明図である。
【００５４】
図１２に示すように、コンポーネント信号の１２８０x７２０（５０／６０Hz）は、正しく判定されるが、同期タイプがGSyncであるＲＧＢ信号では、１１５２x７２０（５０／６０Ｈｚ）は、アスペクトおよびカラーシステムが正しく判定されない。
【００５５】
図１３は、映像ライン数が１０８０の場合に実行される入力映像信号の種類を判定する動作を説明するためのフローチャートである。以下、図１３を参照して映像ライン数が１０８０のときの判定動作を説明する。
【００５６】
ＣＰＵ４００は、映像ライン数が１０８０であると、ステップ１０３１を実行する。
【００５７】
ステップ１０３１では、ＣＰＵ４００は、スキャンタイプがInterlaceであるか否かを判断し、スキャンタイプがInterlaceであるとステップ１０３２を実行し、スキャンタイプがInterlaceでないとステップ１０３３を実行する。
【００５８】
ステップ１０３３では、ＣＰＵ４００は、水平同期周波数が６７ＫＨｚで垂直同期周波数が６０Ｈｚであるか判断し、水平同期周波数が６７ＫＨｚで垂直同期周波数が６０Ｈｚであるとステップ１０３４を実行し、水平同期周波数が６７ＫＨｚでないと、または、垂直同期周波数が６０Ｈｚでないと、ステップ１０３５を実行する。
【００５９】
ステップ１０３４では、ＣＰＵ４００は、入力映像信号が、垂直同期周波数が６０ＨｚでスキャンタイプがNon-InterlaceのＹＣｂＣｒ信号であると判断し、アスペクトは１６：９であると判断する。
【００６０】
ステップ１０３５では、ＣＰＵ４００は、入力映像信号が、同期タイプがGSyncのＲＧＢ信号であると判断し、アスペクトは４：３であると判断する。
【００６１】
ステップ１０３２では、ＣＰＵ４００は、水平同期周波数が２７ＫＨｚで垂直同期周波数が４８Ｈｚであるか判断し、水平同期周波数が２７ＫＨｚで垂直同期周波数が４８Ｈｚであるとステップ１０３６を実行し、水平同期周波数が２７ＫＨｚでないと、または、垂直同期周波数が４８Ｈｚでないと、ステップ１０３７を実行する。
【００６２】
ステップ１０３６では、ＣＰＵ４００は、入力映像信号が、垂直同期周波数が６０ＨｚでスキャンタイプがInterlaceのＹＣｂＣｒ信号であると判断し、アスペクトは１６：９であると判断する。
【００６３】
ステップ１０３７では、ＣＰＵ４００は、水平同期周波数が２８ＫＨｚで垂直同期周波数が５０Ｈｚであるか判断し、水平同期周波数が２８ＫＨｚで垂直同期周波数が５０Ｈｚであるとステップ１０３８を実行し、水平同期周波数が２８ＫＨｚでないと、または、垂直同期周波数が５０Ｈｚでないと、ステップ１０３９を実行する。
【００６４】
ステップ１０３８では、ＣＰＵ４００は、入力映像信号が、垂直同期周波数が５０ＨｚでスキャンタイプがInterlaceのＹＣｂＣｒ信号であると判断し、アスペクトは１６：９であると判断する。
【００６５】
ステップ１０３９では、ＣＰＵ４００は、水平同期周波数が３３ＫＨｚで垂直同期周波数が６０Ｈｚであるか判断し、水平同期周波数が３３ＫＨｚで垂直同期周波数が６０Ｈｚであるとステップ１０４０を実行し、水平同期周波数が３３ＫＨｚでないと、または、垂直同期周波数が６０Ｈｚでないと、ステップ１０４１を実行する。
【００６６】
ステップ１０４０では、ＣＰＵ４００は、入力映像信号が、垂直同期周波数が６０ＨｚでスキャンタイプがInterlaceのＹＣｂＣｒ信号であると判断し、アスペクトは１６：９であると判断する。
【００６７】
ステップ１０４１では、ＣＰＵ４００は、入力映像信号が、同期タイプがGSyncのＲＧＢ信号であると判断し、アスペクトは４：３であると判断する。
【００６８】
図１４は、映像ライン数が１０８０のときの判定結果を示した説明図である。
【００６９】
図１４に示すように、コンポーネント信号の１９２０x１０８０i（４８／５０Ｈｚ）および１９２０x１０８０i/p（６０Ｈｚ）は、正しく判定されるが、同期タイプがGSyncであるＲＧＢ信号では、１９２０x１０８０（４９．９７５Ｈｚ）と異なる信号は、アスペクトまたはカラーシステムが正しく判定されない。
【００７０】
また、特許文献１（特開２００５−１６７６７６号公報）には、プロジェクタに搭載された映像信号判定装置が記載されている。
【００７１】
この映像信号判定装置は、入力映像信号がＲＧＢ信号である確率（ＲＧＢ確率）と、入力映像信号がＹ／色差信号である確率（色差確率）と、を算出し、ＲＧＢ確率と式差確率とを比較して入力映像信号がＲＧＢ信号であるかＹ／色差信号であるかを判別する。
【特許文献１】特開２００５−１６７６７６号公報
【発明の開示】
【発明が解決しようとする課題】
【００７２】
図５に示したＣＰＵ４００の判別方法では、同期タイプがGsyncであり、かつ、コンポーネント信号と水平同期周波数および垂直同期周波数のタイミングが近接したＲＧＢ信号が入力されると、強制的にアスペクトが１６：９と判定され、カラーシステムがＹＣｂＣｒと判定されていた。
【００７３】
このため、同期タイプがGSyncのＲＧＢ信号は、正確に判定されなかった。また、この誤判定に伴い、入力映像信号に応じた映像を正しく表示することができなかった。
【００７４】
したがって、この場合、使用者は、手動でアスペクトおよびカラーシステムを切り替えるか、ＲＧＢ信号の同期タイプをSepまたはCSにする必要があった。
【００７５】
また、特許文献１に記載の判定方法では、ＲＧＢ確率と式差確率とを算出し、さらに、その算出結果に基づいて入力映像信号の種類を判定するという複雑な処理が必要となる。
【００７６】
本発明の目的は、ＲＧＢ確率と式差確率とを用いることなく、入力映像信号の種類を高精度で判定することが可能な映像信号判定装置、映像信号判定方法、映像表示装置および映像表示方法を提供することである。
【課題を解決するための手段】
【００７７】
上記目的を達成するために、本発明の映像信号判定装置は、同期信号を含む映像信号から前記同期信号を分離する同期分離部を備え、前記映像信号の種類を判定する映像信号判定装置において、前記同期分離部にて分離された同期信号に含まれる同期タイプおよび垂直同期信号幅を検出する検出部と、前記検出部にて検出された同期タイプおよび垂直同期信号幅に基づいて、前記映像信号がＲＧＢ信号であるか輝度色差信号であるかを判定する判定部と、を有する。
【００７８】
また、本発明の映像信号判定方法は、同期信号を含む映像信号から前記同期信号を分離し、前記同期信号に基づいて前記映像信号の種類を判定する映像信号判定装置が行う映像信号判定であって、前記映像信号から前記同期信号を分離する同期分離ステップと、前記同期信号に含まれる同期タイプおよび垂直同期信号幅を検出する検出ステップと、前記検出された同期タイプおよび垂直同期信号幅に基づいて、前記映像信号がＲＧＢ信号であるか輝度色差信号であるかを判定する判定ステップとを含む。
【００７９】
例えば、図６、図７および図８に示したように、コンポーネント信号と、同期タイプがGsyncであるとともにそのコンポーネント信号と水平同期周波数および垂直同期周波数のタイミングが近接したＲＧＢ信号とは、同期タイプ（TriSync）と垂直同期信号幅とによって識別することが可能である。
【００８０】
上記の発明によれば、映像信号の種類が、同期タイプおよび垂直同期信号幅に基づいて判定される。
【００８１】
このため、従来、映像信号の種類を正確に判定できなかった、同期タイプがGSyncであるとともにそのコンポーネント信号と水平同期周波数および垂直同期周波数のタイミングが近接したＲＧＢ信号を、同期タイプ（TriSync）と垂直同期信号幅とに基づいて正確に判定することが可能になる。
【００８２】
また、従来必要であった、ＲＧＢ確率と式差確率とを算出し、さらに、その算出結果に基づいて入力映像信号の種類を判定するという複雑な処理を不要にできる。
【００８３】
したがって、ＲＧＢ確率と式差確率とを用いることなく、映像信号の種類を高精度で判定することが可能になる。
【００８４】
また、本発明の映像表示装置は、同期信号を含む映像信号を処理する処理部と、前記処理部にて処理された映像信号に基づいて映像を表示する表示部と、前記映像信号から前記同期信号を分離する同期分離部と、前記同期分離部にて分離された同期信号に基づいて該映像信号の種類を判定し、その判定結果に応じて前記処理部を制御する制御部と、を含む映像表示装置において、前記制御部は、前記同期分離部にて分離された同期信号に含まれる同期タイプおよび垂直同期信号幅を検出する検出部と、前記検出部にて検出された同期タイプおよび垂直同期信号幅に基づいて、前記映像信号がＲＧＢ信号であるか輝度色差信号であるかを判定し、その判定結果に応じて前記処理部を制御する映像制御部とを含む。
【００８５】
また、本発明の映像表示方法は、同期信号を含む映像信号を処理する処理ステップと、前記処理された映像信号に基づいて映像を表示する表示ステップと、前記映像信号から前記同期信号を分離する同期分離ステップと、前記分離された同期信号に基づいて該映像信号の種類を判定し、その判定結果に応じて前記処理部を制御する制御ステップと、を含む映像表示方法において、前記制御ステップは、前記同期信号に含まれる同期タイプおよび垂直同期信号幅を検出する検出する検出ステップと、前記検出された同期タイプおよび垂直同期信号幅に基づいて、前記映像信号がＲＧＢ信号であるか輝度色差信号であるかを判定する判定ステップと、前記判定の結果に応じて前記処理を制御する映像制御ステップと、を含む。
【００８６】
上記の発明によれば、映像信号の種類が、同期タイプおよび垂直同期信号幅に基づいて判定され、その判定結果に応じて映像信号の処理を制御する。
【００８７】
このため、ＲＧＢ確率と式差確率とを用いることなく、映像信号の種類を高精度で判定することが可能になり、よって、映像信号に応じた映像を正しく表示することが可能になる。
【００８８】
なお、前記同期信号に含まれる水平同期周波数、垂直同期周波数、同期極性、スキャンタイプおよび映像ライン数が、さらに検出されることが望ましい。
【００８９】
上記の発明によれば、さらに、映像信号の種類を高精度で判定することが可能になる。
【００９０】
また、前記映像信号がＲＧＢ信号またはＹＣｂＣｒ信号であり、前記同期極性としてNegaまたはPosiが検出され、前記同期タイプとしてSep、CS、GSyncまたはTriSyncが検出され、前記スキャンタイプとしてインタレースまたはノンインタレースが検出されることが望ましい。
【００９１】
上記の発明によれば、ＲＧＢ信号とＹＣｂＣｒ信号とを混同することなく、映像信号の種類を高精度で判定することが可能になる。
【００９２】
また、前記判定結果に応じて、前記映像信号のアスペクトおよび種類が決定され、前記映像信号のアスペクトおよび種類に応じて前記映像信号が処理されることが望ましい。
【００９３】
上記の発明によれば、映像信号に応じた映像を正しく表示することが可能になる。
【発明の効果】
【００９４】
本発明によれば、ＲＧＢ確率と式差確率とを用いることなく、映像信号の種類を高精度で判定することが可能になる。
【発明を実施するための最良の形態】
【００９５】
以下、本発明の実施例を、図面を参照して説明する。
【００９６】
図１は、本発明の一実施例の映像表示装置を示したブロック図である。なお、図１において、図５に示したものと同一のものには同一符号を付してある。
【００９７】
図１において、本映像表示装置では、図５に示した映像表示装置に検出回路３Ａが付され、ＣＰＵ４００がＣＰＵ４に変更されている。以下では、図５に示した映像表示装置と異なる点を中心に説明する。
【００９８】
本映像表示装置は、入力端子１と、同期処理回路２と、検出部３０と、ＣＰＵ４と、スケラー回路５と、駆動回路６と、パネル７とを含む。検出部３０は、検出回路３と検出回路３Ａとを含む。
【００９９】
なお、同期処理回路２と、検出部３０と、ＣＰＵ４とで、映像信号判定装置を構成する。また、スケラー回路５は、処理部の一例である。また、検出部３０と、ＣＰＵ４とで、制御部を構成する。
【０１００】
同期処理回路２は、同期分離部の一例であり、同期信号を含む入力映像信号から同期信号を分離し、分離された同期信号を、検出回路３および検出回路３Ａに提供する。
【０１０１】
検出回路３Ａは、同期タイプ検出回路３Ａ１と、垂直同期幅検出回路３Ａ２とを含む。
【０１０２】
同期タイプ検出回路３Ａ１は、同期信号から、同期タイプ（TriSync：三値同期）を検出し、その検出された同期タイプをＣＰＵ４に提供する。
【０１０３】
垂直同期幅検出回路３Ａ２は、同期信号から、垂直同期幅（図６ないし８のVSync Width）を検出し、その検出された垂直同期幅をＣＰＵ４に提供する。
【０１０４】
ＣＰＵ４は、判定部および映像制御部の一例である。
【０１０５】
ＣＰＵ４は、検出部３０にて検出された水平同期周波数、垂直同期周波数、同期極性（Nega、Posi）、同期タイプ（Sep、CS、GSync、TriSync）、スキャンタイプ（Interlace、Non-Interlace）、映像ライン数、および、垂直同期信号幅に基づいて、入力映像信号の種類を判定する。
【０１０６】
また、ＣＰＵ４は、その判定結果に基づいて、入力映像信号に対する信号処理を設定する。
【０１０７】
例えば、ＣＰＵ４は、その判定結果に基づいて、同期処理回路２のＡ／Ｄコンバータ（不図示）に分周比と位相を設定して、入力映像信号の種類に適した動作を同期処理回路２に実行させる。
【０１０８】
また、ＣＰＵ４は、その判定結果に基づいて、スケラー回路５に、解像度変換データ、アスペクト比およびカラーシステム（入力映像信号がＲＧＢ信号かＹＣｂＣｒ信号か）を設定する。なお、アスペクト比は、判定結果に含まれる。
【０１０９】
例えば、ＣＰＵ４は、入力映像信号がＲＧＢ信号であると判定すると、スケラー回路５に、解像度変換としてパネルに対して１００％スキャン設定し、さらに、入力映像信号がＲＧＢ信号である旨のカラーシステム設定を行う。
【０１１０】
また、ＣＰＵ４は、入力映像信号がＹＣｂＣｒ信号であると判定すると、スケラー回路５に、解像度変換として１０５％オーバスキャン設定し、さらに、入力映像信号であるＹＣｂＣｒ信号をＲＧＢ信号に変換する旨のカラーシステム設定を行う。
【０１１１】
スケラー回路５は、ＣＰＵ４にてなされた設定に基づいて入力映像信号を処理して、映像を示す映像表示信号を生成し、その映像表示信号を駆動回路６に提供する。
【０１１２】
例えば、スケラー回路５は、解像度変換が設定されると、入力映像信号に対して、その設定された解像度変換を行う。
【０１１３】
また、スケラー回路５は、アスペクト比が設定されると、入力映像信号に応じた映像のアスペクトを、その設定されたアスペクト比にする。
【０１１４】
また、スケラー回路５は、入力映像信号がＲＧＢ信号である旨のカラーシステム設定がなされると、ＲＧＢ信号を他の映像信号形式に変換しない。
【０１１５】
また、スケラー回路５は、入力映像信号であるＹＣｂＣｒ信号をＲＧＢ信号に変換する旨のカラーシステム設定がなされると、ＹＣｂＣｒ信号をＲＧＢ信号に変換する。
【０１１６】
次に、動作を説明する。
【０１１７】
入力端子１が映像信号を受け付けると、同期処理回路２は、入力映像信号から同期信号を分離する。同期処理回路２は、同期信号を検出回路３および検出回路３Ａに提供し、また、同期信号が取り除かれた入力映像信号をスケラー回路５に提供する。
【０１１８】
検出回路３は、同期信号を受け付けると、その同期信号から、水平同期周波数と、垂直同期周波数と、同期極性と、同期タイプ（Sep、CS、または、GSync）と、スキャンタイプと、映像ライン数とを検出する。検出回路３は、それら検出された情報をＣＰＵ４に提供する。
【０１１９】
また、検出回路３Ａは、同期信号を受け付けると、その同期信号から、同期タイプ（TriSync）と、垂直同期幅を検出し、それら検出された情報をＣＰＵ４に提供する。
【０１２０】
ＣＰＵ４は、入力映像信号の同期タイプがSepまたはCSである場合、入力映像信号はＲＧＢ信号であると判断し、その後、映像ライン数、同期極性、垂直同期信号、水平同期信号およびスキャンタイプとに基づいて、入力信号の種類を判定する。
【０１２１】
ＣＰＵ４は、同期タイプがGSyncの場合、映像ライン数が、４８０であるか、７２０であるか、または、１０８０であるか判定する。
【０１２２】
図２は、映像ライン数が４８０の場合に実行される入力映像信号の種類を判定する動作を説明するためのフローチャートである。以下、図２を参照して映像ライン数が４８０のときの判定動作を説明する。
【０１２３】
ＣＰＵ４は、映像ライン数が４８０であると、ステップ２０１を実行する。
【０１２４】
ステップ２０１では、ＣＰＵ４は、垂直同期周波数が５０Ｈｚであるか否かを判断し、垂直同期周波数が５０Ｈｚであるとステップ２０２を実行し、垂直同期周波数が５０Ｈｚでないとステップ２０３を実行する。
【０１２５】
ステップ２０２では、ＣＰＵ４は、垂直同期幅を確認する。
【０１２６】
垂直同期幅が４Ｈでもなく５Ｈでもなく６Ｈでもないと（ステップ２０４）、ＣＰＵ４は、ステップ２０５を実行する。
【０１２７】
ステップ２０５では、ＣＰＵ４は、入力映像信号が、同期タイプがGSyncのＲＧＢ信号であると判断し、アスペクトは４：３であると判断する。
【０１２８】
垂直同期幅が４Ｈであると（ステップ２０６）、ＣＰＵ４は、ステップ２０７を実行する。
【０１２９】
ステップ２０７では、ＣＰＵ４は、入力映像信号が、同期タイプがGSyncのＲＧＢ信号であると判断し、アスペクトは４：３であると判断する。
【０１３０】
垂直同期幅が５Ｈであると（ステップ２０８）、ＣＰＵ４は、ステップ２０９を実行する。
【０１３１】
ステップ２０９では、ＣＰＵ４は、入力映像信号が、同期タイプがGSyncのＲＧＢ信号であると判断し、アスペクトは１６：９であると判断する。
【０１３２】
垂直同期幅が６Ｈであると（ステップ２１０）、ＣＰＵ４は、ステップ２１１を実行する。
【０１３３】
ステップ２１１では、ＣＰＵ４は、入力映像信号が、同期タイプがGSyncのＲＧＢ信号であると判断し、アスペクトは１６：１０であると判断する。
【０１３４】
一方、ステップ２０３では、ＣＰＵ４は、垂直同期周波数が６０Ｈｚであるか否かを判断し、垂直同期周波数が６０Ｈｚであるとステップ２１２を実行し、垂直同期周波数が６０Ｈｚでないとステップ２１３を実行する。
【０１３５】
ステップ２１２では、ＣＰＵ４は、水平同期周波数が３１ＫＨｚであるか否かを判断し、水平同期周波数が３１ＫＨｚであるとステップ２１４を実行し、水平同期周波数が３１ＫＨｚでないとステップ２１３を実行する。
【０１３６】
ステップ２１４では、ＣＰＵ４は、垂直同期幅が６Ｈであるか否かを確認する。ＣＰＵ４は、垂直同期幅が６Ｈであるとステップ２１５を実行し、垂直同期幅が６Ｈでないとステップ２１３を実行する。
【０１３７】
ステップ２１５では、ＣＰＵ４は、入力映像信号が、垂直同期周波数が６０ＨｚのＹＣｂＣｒ信号であると判断し、アスペクトは１６：９であると判断する。
【０１３８】
一方、ステップ２１３では、ＣＰＵ４は、垂直同期幅を確認する。
【０１３９】
垂直同期幅が４Ｈでもなく５Ｈでもなく６Ｈでもないと（ステップ２１６）、ＣＰＵ４は、ステップ２１７を実行する。
【０１４０】
ステップ２１７では、ＣＰＵ４は、入力映像信号が、同期タイプがGSyncのＲＧＢ信号であると判断し、アスペクトは４：３であると判断する。
【０１４１】
垂直同期幅が４Ｈであると（ステップ２１８）、ＣＰＵ４は、ステップ２１９を実行する。
【０１４２】
ステップ２１９では、ＣＰＵ４は、入力映像信号が、同期タイプがGSyncのＲＧＢ信号であると判断し、アスペクトは４：３であると判断する。
【０１４３】
垂直同期幅が５Ｈであると（ステップ２２０）、ＣＰＵ４は、ステップ２２１を実行する。
【０１４４】
ステップ２２１では、ＣＰＵ４は、入力映像信号が、同期タイプがGSyncのＲＧＢ信号であると判断し、アスペクトは１６：９であると判断する。
【０１４５】
垂直同期幅が６Ｈであると（ステップ２２２）、ＣＰＵ４は、ステップ２２３を実行する。
【０１４６】
ステップ２２３では、ＣＰＵ４は、入力映像信号が、同期タイプがGSyncのＲＧＢ信号であると判断し、アスペクトは１６：１０であると判断する。
【０１４７】
このように、ＣＰＵ４は、映像ライン数が４８０のとき、入力映像信号の垂直同期周波数が６０Ｈｚで水平同期周波数が３１ＫＨｚで垂直同期幅が６Ｈの場合、つまり、コンポーネント信号の７２０x４８０（60Hz）が入力された場合、アスペクトが１６：９である判断し、カラーシステムがＹＣｂＣｒであると判断する。
【０１４８】
また、ＣＰＵ４は、ＲＧＢ信号が入力された場合、フローチャートにしたがい、入力映像信号の種類にあったアスペクト（４：３、１６：９、１６：１０）およびカラーシステム（ＲＧＢ信号）を選定できる。
【０１４９】
図３は、映像ライン数が７２０の場合に実行される入力映像信号の種類を判定する動作を説明するためのフローチャートである。以下、図３を参照して映像ライン数が７２０のときの判定動作を説明する。
【０１５０】
ＣＰＵ４は、映像ライン数が７２０であると、ステップ３０１を実行する。
【０１５１】
ステップ３０１では、ＣＰＵ４は、垂直同期周波数が５０Ｈｚであるか否かを判断し、垂直同期周波数が５０Ｈｚであるとステップ３０２を実行し、垂直同期周波数が５０Ｈｚでないとステップ３０３を実行する。
【０１５２】
ステップ３０２では、ＣＰＵ４は、水平同期周波数が３７．５ＫＨｚであるか否かを判断し、水平同期周波数が３７．５ＫＨｚであるとステップ３０４を実行し、水平同期周波数が３７．５ＫＨｚでないとステップ３０３を実行する。
【０１５３】
ステップ３０４では、ＣＰＵ４は、垂直同期幅が５Ｈであるか否かを確認する。ＣＰＵ４は、垂直同期幅が５Ｈであるとステップ３０５を実行し、垂直同期幅が５Ｈでないとステップ３０３を実行する。
【０１５４】
ステップ３０５では、ＣＰＵ４は、同期タイプがTriSync（三値同期）であるか否かを確認する。ＣＰＵ４は、同期タイプがTriSyncであるとステップ３０６を実行し、同期タイプがTriSyncでないとステップ３０３を実行する。
【０１５５】
ステップ３０６では、ＣＰＵ４は、入力映像信号が、垂直同期周波数が５０ＨｚのＹＣｂＣｒ信号であると判断し、アスペクトは１６：９であると判断する。
【０１５６】
一方、ステップ３０３では、ＣＰＵ４は、垂直同期周波数が６０Ｈｚであるか否かを判断し、垂直同期周波数が６０Ｈｚであるとステップ３０７を実行し、垂直同期周波数が６０Ｈｚでないとステップ３０８を実行する。
【０１５７】
ステップ３０７では、ＣＰＵ４は、水平同期周波数が４４．９６ＫＨｚであるか否かを判断し、水平同期周波数が４４．９６ＫＨｚであるとステップ３０９を実行し、水平同期周波数が４４．９６ＫＨｚでないとステップ３０８を実行する。
【０１５８】
ステップ３０９では、ＣＰＵ４は、垂直同期幅が５Ｈであるか否かを確認する。ＣＰＵ４は、垂直同期幅が５Ｈであるとステップ３１０を実行し、垂直同期幅が５Ｈでないとステップ３０８を実行する。
【０１５９】
ステップ３１０では、ＣＰＵ４は、同期タイプがTriSyncであるか否かを確認する。ＣＰＵ４は、同期タイプがTriSyncであるとステップ３１１を実行し、同期タイプがTriSyncでないとステップ３０８を実行する。
【０１６０】
ステップ３１１では、ＣＰＵ４は、入力映像信号が、垂直同期周波数が６０ＨｚのＹＣｂＣｒ信号であると判断し、アスペクトは１６：９であると判断する。
【０１６１】
一方、ステップ３０８では、ＣＰＵ４は、垂直同期幅を確認する。
【０１６２】
垂直同期幅が５Ｈであると（ステップ３１２）、ＣＰＵ４は、ステップ３１３を実行する。
【０１６３】
ステップ３１３では、ＣＰＵ４は、入力映像信号が、同期タイプがGSyncのＲＧＢ信号であると判断し、アスペクトは１６：９であると判断する。
【０１６４】
垂直同期幅が６Ｈであると（ステップ３１４）、ＣＰＵ４は、ステップ３１５を実行する。
【０１６５】
ステップ３１５では、ＣＰＵ４は、入力映像信号が、同期タイプがGSyncのＲＧＢ信号であると判断し、アスペクトは１６：１０であると判断する。
【０１６６】
このように、ＣＰＵ４は、映像ライン数が７２０のとき、入力映像信号の垂直同期周波数が５０Ｈｚで水平同期周波数が３７．５ＫＨｚで垂直同期幅が５Ｈで同期タイプがTriSyncと判定した場合、つまり、コンポーネント信号の１２８０x７２０（50Hz）が入力された場合、アスペクトが１６：９と判断し、カラーシステムがＹＣｂＣｒであると判断する。
【０１６７】
また、ＣＰＵ４は、映像ライン数が７２０のとき、入力映像信号の垂直同期周波数が６０Ｈｚで水平同期周波数が４４．９６ＫＨｚで垂直同期幅が５Ｈで同期タイプがTriSyncと判定した場合、つまり、コンポーネント信号の１２８０x７２０（60Hz）が入力された場合、アスペクトが１６：９と判断し、カラーシステムがＹＣｂＣｒであると判断する。
【０１６８】
また、ＣＰＵ４は、ＲＧＢ信号が入力された場合、フローチャートにしたがい、入力映像信号の種類にあったアスペクト（１６：９、１６：１０）およびカラーシステム（ＲＧＢ信号）を選定できる。
【０１６９】
図４は、映像ライン数が１０８０の場合に実行される入力映像信号の種類を判定する動作を説明するためのフローチャートである。以下、図４を参照して映像ライン数が１０８０のときの判定動作を説明する。
【０１７０】
ＣＰＵ４は、映像ライン数が１０８０であると、ステップ４０１を実行する。
【０１７１】
ステップ４０１では、ＣＰＵ４は、スキャンタイプがInterlaceであるか否かを判断し、スキャンタイプがInterlaceであるとステップ４０２を実行し、スキャンタイプがInterlaceでないとステップ４０３を実行する。
【０１７２】
ステップ４０２では、ＣＰＵ４は、水平同期周波数が２７ＫＨｚで垂直同期周波数が４８Ｈｚであるか判断し、水平同期周波数が２７ＫＨｚで垂直同期周波数が４８Ｈｚであるとステップ４０４を実行し、水平同期周波数が２７ＫＨｚでないと、または、垂直同期周波数が４８Ｈｚでないと、ステップ４０５を実行する。
【０１７３】
ステップ４０４では、ＣＰＵ４は、垂直同期幅が５Ｈであるか否かを確認する。ＣＰＵ４は、垂直同期幅が５Ｈであるとステップ４０６を実行し、垂直同期幅が５Ｈでないとステップ４０５を実行する。
【０１７４】
ステップ４０６では、ＣＰＵ４は、同期タイプがTriSyncであるか否かを確認する。ＣＰＵ４は、同期タイプがTriSyncであるとステップ４０７を実行し、同期タイプがTriSyncでないとステップ４０５を実行する。
【０１７５】
ステップ４０７では、ＣＰＵ４は、入力映像信号が、垂直同期周波数が４８ＨｚでスキャンタイプがInterlaceのＹＣｂＣｒ信号であると判断し、アスペクトは１６：９であると判断する。
【０１７６】
一方、ステップ４０５では、ＣＰＵ４は、水平同期周波数が２８ＫＨｚで垂直同期周波数が５０Ｈｚであるか判断し、水平同期周波数が２８ＫＨｚで垂直同期周波数が５０Ｈｚであるとステップ４０８を実行し、水平同期周波数が２８ＫＨｚでないと、または、垂直同期周波数が５０Ｈｚでないと、ステップ４０９を実行する。
【０１７７】
ステップ４０８では、ＣＰＵ４は、垂直同期幅が５Ｈであるか否かを確認する。ＣＰＵ４は、垂直同期幅が５Ｈであるとステップ４１０を実行し、垂直同期幅が５Ｈでないとステップ４０９を実行する。
【０１７８】
ステップ４１０では、ＣＰＵ４は、同期タイプがTriSyncであるか否かを確認する。ＣＰＵ４は、同期タイプがTriSyncであるとステップ４１１を実行し、同期タイプがTriSyncでないとステップ４０９を実行する。
【０１７９】
ステップ４１１では、ＣＰＵ４は、入力映像信号が、垂直同期周波数が５０ＨｚでスキャンタイプがInterlaceのＹＣｂＣｒ信号であると判断し、アスペクトは１６：９であると判断する。
【０１８０】
一方、ステップ４０９では、ＣＰＵ４は、水平同期周波数が３３ＫＨｚで垂直同期周波数が６０Ｈｚであるか判断し、水平同期周波数が３３ＫＨｚで垂直同期周波数が６０Ｈｚであるとステップ４１２を実行し、水平同期周波数が３３ＫＨｚでないと、または、垂直同期周波数が６０Ｈｚでないと、ステップ４１３を実行する。
【０１８１】
ステップ４１２では、ＣＰＵ４は、垂直同期幅が５Ｈであるか否かを確認する。ＣＰＵ４は、垂直同期幅が５Ｈであるとステップ４１４を実行し、垂直同期幅が５Ｈでないとステップ４１３を実行する。
【０１８２】
ステップ４１４では、ＣＰＵ４は、同期タイプがTriSyncであるか否かを確認する。ＣＰＵ４は、同期タイプがTriSyncであるとステップ４１５を実行し、同期タイプがTriSyncでないとステップ４１３を実行する。
【０１８３】
ステップ４１５では、ＣＰＵ４は、入力映像信号が、垂直同期周波数が６０ＨｚでスキャンタイプがInterlaceのＹＣｂＣｒ信号であると判断し、アスペクトは１６：９であると判断する。
【０１８４】
一方、ステップ４１３では、ＣＰＵ４は、入力映像信号がＲＧＢ信号である可能性があると判断する。なお、ステップ４１３で、ＣＰＵ４は、判定不能と判断してもよい。
【０１８５】
また、ステップ４０３では、ＣＰＵ４は、水平同期周波数が６７ＫＨｚで垂直同期周波数が６０Ｈｚであるか判断し、水平同期周波数が６７ＫＨｚで垂直同期周波数が６０Ｈｚであるとステップ４１６を実行し、水平同期周波数が６７ＫＨｚでないと、または、垂直同期周波数が６０Ｈｚでないと、ステップ４１７を実行する。
【０１８６】
ステップ４１６では、ＣＰＵ４は、垂直同期幅が５Ｈであるか否かを確認する。ＣＰＵ４は、垂直同期幅が５Ｈであるとステップ４１８を実行し、垂直同期幅が５Ｈでないとステップ４１７を実行する。
【０１８７】
ステップ４１８では、ＣＰＵ４は、同期タイプがTriSyncであるか否かを確認する。ＣＰＵ４は、同期タイプがTriSyncであるとステップ４１９を実行し、同期タイプがTriSyncでないとステップ４１７を実行する。
【０１８８】
ステップ４１９では、ＣＰＵ４は、入力映像信号が、垂直同期周波数が６０ＨｚでスキャンタイプがNon-InterlaceのＹＣｂＣｒ信号であると判断し、アスペクトは１６：９であると判断する。
【０１８９】
一方、ステップ４１７では、ＣＰＵ４は、垂直同期幅を確認する。
【０１９０】
垂直同期幅が５Ｈであると（ステップ４２０）、ＣＰＵ４は、ステップ４２１を実行する。
【０１９１】
ステップ４２１では、ＣＰＵ４は、入力映像信号が、同期タイプがGSyncのＲＧＢ信号であると判断し、アスペクトは１６：９であると判断する。
【０１９２】
垂直同期幅が６Ｈであると（ステップ４２２）、ＣＰＵ４は、ステップ４２３を実行する。
【０１９３】
ステップ４２３では、ＣＰＵ４は、入力映像信号が、同期タイプがGSyncのＲＧＢ信号であると判断し、アスペクトは１６：１０であると判断する。
【０１９４】
このように、ＣＰＵ４は、映像ライン数が１０８０のとき、入力映像信号のスキャンタイプがInterlaceで垂直同期周波数が４８Ｈｚで水平同期周波数が２７ＫＨｚで垂直同期幅が５Ｈで同期タイプがTriSyncの場合、つまり、コンポーネント信号の１９２０x１０８０i（48Hz）が入力された場合、アスペクトが１６：９であると判断し、カラーシステムがＹＣｂＣｒであると判断する。
【０１９５】
また、ＣＰＵ４は、映像ライン数が１０８０のとき、入力映像信号のスキャンタイプがInterlaceで垂直同期周波数が５０Ｈｚで水平同期周波数が２８ＫＨｚで垂直同期幅が５Ｈで同期タイプがTriSyncの場合、つまり、コンポーネント信号の１９２０x１０８０i（50Hz）が入力された場合、アスペクトが１６：９であると判断し、カラーシステムがＹＣｂＣｒであると判断する。
【０１９６】
また、ＣＰＵ４は、映像ライン数が１０８０のとき、入力映像信号のスキャンタイプがInterlaceで垂直同期周波数が６０Ｈｚで水平同期周波数が３３ＫＨｚで垂直同期幅が５Ｈで同期タイプがTriSyncの場合、つまり、コンポーネント信号の１９２０x１０８０i（60Hz）が入力された場合、アスペクトが１６：９であると判断し、カラーシステムがＹＣｂＣｒであると判断する。
【０１９７】
また、ＣＰＵ４は、映像ライン数が１０８０のとき、入力映像信号のスキャンタイプがNon-Interlaceで垂直同期周波数が６０Ｈｚで水平同期周波数が６７ＫＨｚで垂直同期幅が５Ｈで同期タイプがTriSyncの場合、つまり、コンポーネント信号の１９２０x１０８０（60Hz）が入力された場合、アスペクトが１６：９であると判断し、カラーシステムがＹＣｂＣｒであると判断する。
【０１９８】
また、ＣＰＵ４は、ＲＧＢ信号が入力された場合、フローチャートにしたがい、入力映像信号の種類にあったアスペクト（１６：９、１６：１０）およびカラーシステム（ＲＧＢ信号）を選定できる。
【０１９９】
ＣＰＵ４は、さらに、上記判定結果と、検出回路３から提供される情報（例えば、同期極性）とに基づいて、入力映像信号の種類を判定する。
【０２００】
ＣＰＵ４は、その判定結果に基づいて、同期処理回路２のＡ／Ｄコンバータ（不図示）に分周比と位相を設定して、入力映像信号の種類に適した動作を同期処理回路２に実行させる。
【０２０１】
また、ＣＰＵ４は、上記判定結果に基づいて、スケラー回路５に、解像度変換データ、アスペクト比およびカラーシステム（入力映像信号がＲＧＢ信号かＹＣｂＣｒ信号か）を設定する。なお、アスペクト比は、判定結果に含まれる。
【０２０２】
具体的には、ＣＰＵ４は、入力映像信号がＲＧＢ信号であると判定すると、スケラー回路５に、解像度変換として１００％を設定し、さらに、入力映像信号がＲＧＢ信号である旨のカラーシステム設定を行う。
【０２０３】
また、ＣＰＵ４は、入力映像信号がＹＣｂＣｒ信号であると判定すると、スケラー回路５に、解像度変換として５％オーバを設定し、さらに、入力映像信号であるＹＣｂＣｒ信号をＲＧＢ信号に変換する旨のカラーシステム設定を行う。
【０２０４】
スケラー回路５は、ＣＰＵ４にてなされた設定に基づいて入力映像信号を処理して、映像を示す映像表示信号を生成し、その映像表示信号を駆動回路６に提供する。
【０２０５】
具体的には、スケラー回路５は、解像度変換が設定されると、入力映像信号に対して、その設定された解像度変換を行う。
【０２０６】
また、スケラー回路５は、アスペクト比が設定されると、入力映像信号に応じた映像のアスペクトを、その設定されたアスペクト比にする。
【０２０７】
また、スケラー回路５は、入力映像信号がＲＧＢ信号である旨のカラーシステム設定がなされると、ＲＧＢ信号を他の映像信号形式に変換しない。
【０２０８】
また、スケラー回路５は、入力映像信号であるＹＣｂＣｒ信号をＲＧＢ信号に変換する旨のカラーシステム設定がなされると、ＹＣｂＣｒ信号をＲＧＢ信号に変換する。
【０２０９】
駆動回路６は、その提供された映像表示信号に基づいてパネル７を駆動して、パネル７に映像を形成する。
【０２１０】
パネル７に形成された映像は、例えば、投射用光源（不図示）にてスクリーン８に投影される。
【０２１１】
本実施例によれば、ＣＰＵ４は、入力映像信号の種類を、同期タイプおよび垂直同期信号幅に基づいて判定する。
【０２１２】
このため、従来、映像信号の種類を正確に判定できなかった、同期タイプがGSyncであるとともにそのコンポーネント信号と水平同期周波数および垂直同期周波数のタイミングが近接したＲＧＢ信号を、同期タイプ（TriSync）と垂直同期信号幅とを用いて判定することが可能になる。
【０２１３】
また、従来必要であった、ＲＧＢ確率と式差確率とを算出し、さらに、その算出結果に基づいて入力映像信号の種類を判定するという複雑な処理を不要にできる。
【０２１４】
したがって、ＲＧＢ確率と式差確率とを用いることなく、映像信号の種類を高精度で判定することが可能になる。
また、本実施例では、ＣＰＵ４は、水平同期周波数、垂直同期周波数、同期極性、同期タイプ、スキャンタイプ、映像ライン数および垂直同期信号幅に基づいて判定する。
【０２１５】
この場合、映像信号の種類を、より高精度で判定することが可能になる。
また、本実施例では、ＣＰＵ４は、その判定結果に応じて映像信号の処理を制御する。
【０２１６】
このため、映像信号に応じた映像を正しく表示することが可能になる。
【０２１７】
また、本実施例では、入力端子１は、ＲＧＢ信号とＹＣｂＣｒ信号とを受け付け、検出部３０は、同期極性としてNegaまたはPosiを検出し、同期タイプとしてSep、CS、GSyncまたはTriSyncを検出し、スキャンタイプとしてインタレースまたはノンインタレースを検出する。
【０２１８】
この場合、ＲＧＢ信号とＹＣｂＣｒ信号とを混同することなく、映像信号の種類を高精度で判定することが可能になる。
【０２１９】
以上説明した実施例において、図示した構成は単なる一例であって、本発明はその構成に限定されるものではない。
【図面の簡単な説明】
【０２２０】
【図１】本発明の一実施例の映像表示装置を示したブロック図である。
【図２】入力映像信号の種類を判定する動作を説明するためのフローチャートである。
【図３】入力映像信号の種類を判定する動作を説明するためのフローチャートである。
【図４】入力映像信号の種類を判定する動作を説明するためのフローチャートである。
【図５】従来の映像表示装置を示したブロック図である。
【図６】映像ラインが４８０列の映像信号を説明するための説明図である。
【図７】映像ラインが７２０列の映像信号を説明するための説明図である。
【図８】映像ラインが１０８０列の映像信号を説明するための説明図である。
【図９】入力映像信号の種類を判定する従来の動作を説明するためのフローチャートである。
【図１０】従来の判定結果を示した説明図である。
【図１１】入力映像信号の種類を判定する従来の動作を説明するためのフローチャートである。
【図１２】従来の判定結果を示した説明図である。
【図１３】入力映像信号の種類を判定する従来の動作を説明するためのフローチャートである。
【図１４】従来の判定結果を示した説明図である。
【符号の説明】
【０２２１】
１      入力端子
２      ＲＧＢ／ＹＣｂＣｒ映像同期処理回路
３      検出回路
３１    水平・垂直周波数検出回路
３２    同期極性検出回路
３３    同期タイプ（Sep，CS，GSync）検出回路
３４    スキャンタイプ検出回路
３５    映像ライン数検出回路
３Ａ    検出回路
３Ａ１  同期タイプ（TriSync）検出回路
３Ａ２  垂直同期幅検出回路
３０    検出部
４      ＣＰＵ
５      スケラー回路
６      固定画素パネル駆動回路
７      固定画素パネル
８      スクリーン
【図１】
0004612517.tif 000002
【図２】
0004612517.tif 000003
【図３】
0004612517.tif 000004
【図４】
0004612517.tif 000005
【図５】
0004612517.tif 000006
【図６】
0004612517.tif 000007
【図７】
0004612517.tif 000008
【図８】
0004612517.tif 000009
【図９】
0004612517.tif 000010
【図１０】
0004612517.tif 000011
【図１１】
0004612517.tif 000012
【図１２】
0004612517.tif 000013
【図１３】
0004612517.tif 000014
【図１４】
0004612517.tif 000015